(57)【特許請求の範囲】
【請求項１】
有底筒状のバッグ芯体の外側に、柔軟性を有する筒状のカバーの下端に縫い付けにより底体を、上端に縫い付けにより短筒状の口枠を取り付けた外装部を配置し、前記バッグ芯体の下端部外周面に複数の雄型ホックをバッグ芯体の周方向に間隔をおいて設ける一方、前記バッグ芯体の上端部外周面に複数のボタンをバッグ芯体の周方向に間隔をおいて設け、前記底体に複数の雌型ホックを外装部の周方向に間隔をおいて設ける一方、前記口枠に貫通する複数の係合孔を外装部の周方向に間隔をおいて設け、前記バッグ芯体の上端部内周面に複数のボタンをバッグ芯体の周方向に間隔をおいて設け、前記口枠に口部カバーを縫い付けにより取り付け、該口部カバーに前記バッグ芯体の上端部内周面に設けた複数のボタンに係脱するループ状の係合部を設け、前記底体に設けた複数の雌型ホックを前記バッグ芯体の下端部外周面に設けた複数の雄型ホックに、前記口枠に設けた複数の係合孔に前記バッグ芯体の上端部外周面に設けた複数のボタンを係脱自在に構成することにより、前記外装部を前記バッグ芯体に着脱自在に取り付けたゴルフバッグ。
【発明の詳細な説明】
【０００１】
【発明の属する技術分野】
本発明は、ゴルフバッグに関し、更に詳しくは、バッグの製造を容易にすると共に清掃や補修を容易に行うことができるようにしたゴルフバッグに関する。
【０００２】
【従来の技術】
一般に、ゴルフバッグは、バッグの芯体となる筒状体の外側にカバーを被せ、その下端に底体を、上端部に口枠を取り付けた構造になっている。各部材はそれぞれ縫い付けにより取り付けられ一体形成されている。
ところで、筒状体、底体、口枠は、ポリプロピレンやポリエチレン等のプラスチック材料から構成され、ゴルフクラブを収容するために所定の剛性をもたせるようにしているので、縫い付けの際にミシン糸が通り難い。また、筒状体に対する口枠や底体の位置合わせが難しい。その結果、製造時に位置ズレが発生し易くなる。このような位置ズレが生じると、できあがった製品において、筒状体が底体に対して垂直に立たずに傾斜したり、底体や口枠に捩じれが発生する等の問題が起こる。そこで、位置ズレを防ぎながら縫い付け作業を行う必要があるため、製造が煩雑になるという問題があった。また、ゴルフバッグの清掃や部分的に破壊した際の補修が煩わしいという問題があった。
【０００３】
【発明が解決しようとする課題】
本発明の目的は、製造を容易にすると共に清掃や補修を容易に行うことが可能なゴルフバッグを提供することにある。
【０００４】
【課題を解決するための手段】
上記目的を達成する本発明のゴルフバッグは、有底筒状のバッグ芯体の外側に、柔軟性を有する筒状のカバーの下端に縫い付けにより底体を、上端に縫い付けにより短筒状の口枠を取り付けた外装部を配置し、前記バッグ芯体の下端部外周面に複数の雄型ホックをバッグ芯体の周方向に間隔をおいて設ける一方、前記バッグ芯体の上端部外周面に複数のボタンをバッグ芯体の周方向に間隔をおいて設け、前記底体に複数の雌型ホックを外装部の周方向に間隔をおいて設ける一方、前記口枠に貫通する複数の係合孔を外装部の周方向に間隔をおいて設け、前記バッグ芯体の上端部内周面に複数のボタンをバッグ芯体の周方向に間隔をおいて設け、前記口枠に口部カバーを縫い付けにより取り付け、該口部カバーに前記バッグ芯体の上端部内周面に設けた複数のボタンに係脱するループ状の係合部を設け、前記底体に設けた複数の雌型ホックを前記バッグ芯体の下端部外周面に設けた複数の雄型ホックに、前記口枠に設けた複数の係合孔に前記バッグ芯体の上端部外周面に設けた複数のボタンを係脱自在に構成することにより、前記外装部を前記バッグ芯体に着脱自在に取り付けたことを特徴とする。
【０００５】
また、取り外しできるので、バッグ芯体の清掃がし易く、かつ破損しても取り替えればよいため補修が簡単であり、他方、外装部は洗濯により常に清潔に保つことができ、かつ折り畳んで収納することも可能になる。
【０００６】
【発明の実施形態】
以下、本発明を添付の図面を参照しながら詳細に説明する。
図１，２は本発明のゴルフバッグの一例を示し、１はゴルフバッグ、２はバッグ芯体、３はこのバッグ芯体２の外側に着脱自在に取り付けられた外装部である。
【０００７】
バッグ芯体２は、シート材料をミシン縫いやホッチキス止め等により円筒状に形成した筒状体２ａの下端に円板状の底部２ｂを縫い付け固定した有底筒状になっている。バッグ芯体２（筒状体２ａ）の上端部外周面には複数のボタン４が、下端部外周面には複数の雄型ホック５が、それぞれバッグ芯体２の周方向に略等間隔で縫い付け固定されている。上端部内周面にはバッグ芯体２の周方向に略等間隔で複数のボタン６が縫い付けにより取り付けられている。バッグ芯体２内は上下に延在する仕切り７により３つの室部８に仕切られている。
【０００８】
外装部３は、筒状のカバー９の下端に底体１０が、上端に口枠１１がそれぞれ縫い付けにより取り付けられた構成になっている。カバー９は、布等の柔軟性を有する材料から構成され、洗濯や折り畳みを可能にしている。底体１０は、円板状の底部１０ａの下面に脚部１０ｂが、上面に短筒状の周壁部１０ｃが一体形成され、この周壁部１０ｃの内周面には、バッグ芯体２の雄型ホック５と係脱する複数の雌型ホック１２が外装部３の周方向に略等間隔で縫い付け固定されている。
【０００９】
口枠１１は、短円筒状に構成され、その周壁部１１ａに貫通する複数の係合孔１３が外装部３の周方向に略等間隔で設けられており、この係合孔１３にバッグ芯体２のボタン４が係脱するようになっている。口枠１１の上端部にはボア等の柔軟性を有する材料からなる短筒状の口部カバー１４が縫い付けにより取り付けられ、その口部カバー１４の上端にはゴム等の弾性を有する材料からなるループ状の係合部１５が周方向に略等間隔で取り付けられている。このループ状の係合部１５は、バッグ芯体２のボタン６に係脱するようにしてある。
【００１０】
バッグ芯体２の外側に外装部３を装着するには、外装部３内にバッグ芯体２を挿入し、底体１０の底部１０ａ上に載置する。外装部３の口枠１１を上方に引き上げ、バッグ芯体２の上端部外周のボタン４を口枠１１の係合孔１３に係合させ、また図３に示すように下端部外周の雄型ホック５に底体１０の雌型ホック１２を係合させ、外装部３をバッグ芯体２に取り付ける。次いで、口部カバー１４を筒状体２ａの内側に折り返し、筒状体２ａ内周のボタン６にループ状の係合部１５を係合させ、口部カバー１４を取り付ける。これにより、図１に示すゴルフバッグ１を得ることができる。バッグ芯体２から外装部３を取り外すには、上記係合を解除し、バッグ芯体２を抜きとればよい。
【００１１】
このように本発明では、バッグ芯体２にカバー９と底体１０、口枠１１を備えた外装部３を着脱自在に取り付けてゴルフバックを構成することにより、剛性を有するもの同士であるバッグ芯体と底体、口枠を縫い付けずに済むので、従来のような縫い付けの際にミシン糸が通り難く、また位置合わせが難しいとういような問題が生じることがない。従って、バッグの製造を容易にすることができる。
【００１２】
また、両者が取り外しできるので、バッグ芯体２の清掃が行い易く、かつ破損した際に取り替えができるので、補修が容易になる。また、外装部３は洗濯をして常に清潔な状態に保つことができると共に、折り畳んで収納することもできる。
本発明において、バッグ芯体２、底体１０、口枠１１を構成する材料としては、従来公知のものが使用でき、例えば、ポリプロピレンやポリエチレン等のプラスチック材料を好ましく用いることができる。
【００１４】
上述したゴルフバッグは、有底円筒状のものについて説明したが、その形状は有底３角筒状や有底４角筒状等の有底角筒状や、有底半円筒状等であってもよい。
【００１５】
【発明の効果】
上述したように本発明は、有底筒状のバッグ芯体の外側に、柔軟性を有する筒状のカバーの下端に底体を、上端に口枠を取り付けた外装部を着脱自在に取り付けたので、バッグの製造を容易にすることかでき、かつ清掃や補修を容易に行うことができる。
【図面の簡単な説明】
【図１】本発明のゴルフバッグの一例を示す正面図である。
【図２】（ａ）はバッグ芯体の一部を省略して示す正面図、（ｂ）は外装部の一部を省略して示す正面図である。
【図３】バッグ芯体と底体との係合部分を示す拡大断面図である。
【符号の説明】
１  ゴルフバッグ                ２  バッグ芯体
２ａ  筒状体                    ３  外装部
４  ボタン                      ５  雄型ホック
９  カバー                      １０  底体
１１  口枠                      １２  雌型ホック
１３  係合孔                    １４  口部カバー
【図１】
0003938230.tif 000002
【図２】
0003938230.tif 000003
【図３】
0003938230.tif 000004